(57)【要約】      （修正有）【課題】水力発電ならば、電気を発生させるための水量不足の課題、さらに水を使い捨てにしている課題がある。火力発電ならば、燃料によるＣＯ２の課題がある。原発ならば、使用済みの核燃料の処分の課題、又は、色々な作業を行うにも通常の状態では行えない課題がある。これらの課題を解決する水力発電装置を提供する。【解決手段】発電させるための水を循環させる手段です。水に落差をつけて落下させて、タービン３を回転させる手段です。水を通し落下させるための水管１を設ける手段です。【選択図】図１
2015113831.tif 000002
【特許請求の範囲】
【請求項１】
図１に示す（９）水槽兼ステージを、地中に固定し設置します。
（１）水管に（２）水受口と水管の下部に（３）タービンと（４）発電機モーターとを設けた（１）水管を、（９）水槽兼ステージの上部に垂直にして立てる、又は、必要とする斜度を設けて傾けて固定し設置する方法です。
【請求項２】
図２に示す（１１）ステージを、水中から（８）水面上に突き出して固定し設置します。
（１）水管に（２）水受口と水管の下部に（３）タービンと（４）発電機モーターとを設けた（１）水管を、（１１）ステージの上部に垂直にして立てる、又は、必要とする斜度を設けて傾けて固定し設置する方法です。
【請求項３】
図３に示す（１２）ステージを水中から（８）水面上に突き出して固定し設置します。
（１）水管に（２）水受口と水管の下部に（３）タービンと（４）発電機モーターとを設けた（１）水管を（１２）ステージの上部に、大きく斜度を設けて傾けて固定し設置する方法です。
【請求項４】
固定し設置した（１）水管の上部にある（２）水受口に、（５）汲み上げポンプと（６）放水管により、（２）水受口に放水をして（１）水管の中を落下させます。この落下水の圧力により（３）タービンを回転させます。このタービンの回転を（４）発電機モーターに伝動して、発電機モーターを回転させて電気を発生させる方法です。
【請求項５】
タービンを回転させ落下した落下水を（５）汲み上げポンプで汲み上げて、再び落下水として利用して水を循環させる方法です。
【発明の詳細な説明】
【技術分野】
【０００１】（１）タービンを回転させるために利用する水を循環させて、再び水を使用する技術分野です。
（２）タービンを回転させるための水量が全くない場所でも、例えば市街地、又は、山間部でも水槽を設けて、この水を利用する技術分野です。
（３）水に落差をつけて落下させ、この落下水の圧力によりタービンを回転させます。このタービンの回転を発電機モーターに伝動して、電気を発生させる技術分野です。
（４）水を落下させタービンを回転させるために、水を通す為の水管を垂直に立てる。又は、必要とする斜度を設け、傾けて固定し設置します。
この水管の中を、水を通し落下させる技術分野です。
【背景技術】
【０００２】比較的に限られた場所の山間部の高所にダムを設けて、落差をつけてダムの水を落下させて、タービンを回転させて電気を発生させる水力発電があります。
又は、火力で蒸気を作り出し、この蒸気でタービンを回転させて電気を発生させる火力発電があります。
又は、非常に高温の熱で蒸気を作り出し、この蒸気でタービンを回転させて電気を発生させる原子力を利用した原発があります。
【発明の開示】
【発明が解決しようとする課題】
【０００３】水力発電ならば、ダムを設ける、又は、装置を設置する場所の課題です。
又は、水を使い捨てにしている課題です。
火力発電ならば、使用する燃料の取り込み場所の課題です。
このために海辺に限る課題です。又は、燃料から出るＣＯ２の課題です。
原発ならば、海とは切り離せない設置場所の課題。又は、使用済み核燃料の処分の課題。又は、通常の色々な作業を行うにも、通常の状態では作業が行えない課題です。
太陽光発電ならば、日照の課題です。
風力発電ならば、設置の課題と風力の課題です。
【課題を解決するための手段】
【０００４】（１）水に落差をつけて、例えば５０メートルから１００メートルの高さから、水を水管の中に落下させる手段です。
（２）落下水の圧力によりタービンを回転させます。このタービンの回転を発電機モーターに伝動して、発電機モーターを回転させて電気を発生させる手段です。
（３）タービンを回転させ落下した落下水を再び汲み上げて、水を再び循環させて利用する手段です。
（４）タービンを回転させるための水を、水槽内に必要量を溜め込みます。そして、この水を利用して循環させる手段です。
（５）タービンを回転させるための水を、どこにでもある海面、湖面、池面等の水面上に設置し固定する手段です。そして、これらの水を汲み上げて利用し循環させる手段です。
【発明の効果】
【０００５】（１）水を使い捨てにしないで、循環して再利用するために、水量的な課題はありません。
（２）ダムを設置しなくても、水槽を設ける。又は、海面、湖面、池面等の水を利用できる効果です。
（３）発電しても、ＣＯ２は全くでません。
（４）発電しても、処分物がでません。
（５）自然的な日照、又は、風力等には影響されません。
【発明を実施するための最良の形態】
【実施例１】
【０００６】図１に示す（９）水槽兼ステージを地中に固定し設置します。そして（１）水管の上部に、（２）水受口と水管の下部に（３）タービンと（４）発電機モーターとを設けた（１）水管を、（９）水槽兼ステージの上部に垂直にして立てる。又は、必要とする斜度を設けて、大きく傾けて固定し設置する形態です。
そして固定し設置した（１）水管の上部にある（２）水受口に、（９）水槽内の水を（５）汲み上げポンプと（６）放水管により、（２）水受口に放水をして、（１）水管の中を落下させます。この落下水の圧力により（３）タービンを回転させます。このタービンの回転を、（４）発電機モーターに伝動して、発電機モーターを回転させて電気を発生させる形態です。
そしてタービンを回転させ、（９）水槽内に落下した落下水を、再び（５）汲み上げポンプで汲み上げて、再び落下水として利用し、水を循環させる形態です。
水量が全くない市街地、又は、山間部などに（９）水槽兼ステージを設置して、水槽内の水を循環させて発電する形態です。
【実施例２】図２に示す（１１）ステージを海水、湖水、又は、池面等の水面上に突き出して固定し設置します。そして（１）水管の上部に（２）水受口と水管の下部に（３）タービンと（４）発電機モーターとを設けた（１）水管を（１１）ステージの上部に垂直にして立てる。又は、必要とする斜度を設けて、大きく傾けて固定し設置する形態です。
そして固定し設置した（１）水管の上部にある（２）水受口に海水、湖水、又は、池水等の水を（５）汲み上げポンプと（６）放水管により（２）水受口に放水をして（１）水管の中を落下させます。この落下水の圧力により（３）タービンを回転させます。このタービンの回転を（４）発電機モーターに伝動して、発電機モーターを回転させて電気を発生させる形態です。
そして、タービンを回転させ、海面、湖面、又は、池面等に落下した落下水を（５）汲み上げポンプで汲み上げて、再び、落下水として利用し水を循環させる形態です。
海、湖、又は、池等の岸辺の水面上に、（１１）ステージを設置して、豊富にある水を利用してこの水を循環させて、電気を発生させる形態です。
【実施例３】図３に示す（１２）ステージを、海水、湖水、又は、池水等の水中から（８）水面上に突き出して固定し設置します。
そして、（１）水管の上部に（２）水受口と水管の下部に（３）タービンと（４）発電機モーターとを設けた（１）水管を、（１２）ステージの上部に斜度を設けて、大きく傾けて固定し設置する形態です。
そして、固定し設置した（１）水管の上部にある（２）水受口に、海水、湖水、又は池水等の水を（５）汲み上げポンプと、（６）放水管により（２）水受口に放水をして、（１）水管の中を落下させます。この落下水の圧力により（３）タービンを回転させます。このタービンの回転を（４）発電機モーターに伝動して、発電機モーターを回転させて電気を発生させる形態です。
そしてタービンを回転させ、海面、湖面、又は、池面等に落下した落下水を（５）汲み上げポンプで汲み上げて、再び落下水として利用し水を循環させる形態です。
（１）水管に斜度を設けて、大きく傾ける事により、（５）汲み上げポンプの出力の軽減と、高さの軽減を図る形態です。
又は、水を（１）水管の中で散乱させないで落下させるための形態です。
（５）汲み上げポンプ等の電気は、本案の装置が発電した時点で切替えて、自立形態の発電にする形態です。
【産業上の利用可能性】
【０００７】水槽兼ステージを色々な場所に設置して、水槽内の水を循環させてタービンを回転させます。そして、電気を発生させて住居、店舗、又は、色々な産業に利用します。
海、湖、池等の岸辺に設置して、これらの豊富にある水を利用します。そして、タービンを回転させます。そして、電気を発生させて住居、店舗、又は、色々な産業に利用します。
【図面の簡単な説明】
【０００８】
【図１】（９）水槽兼ステージの断面図と、（１）水管の立体図です。
【図２】（１１）ステージの断面図と、（１）水管の立体図です。
【図３】（１２）ステージの断面図と、（１）水管を傾けた立体図です。
【符号の説明】
【０００９】（１）水管                    （８）水面
（２）水受口                  （９）水槽兼ステージ
（３）タービン              （１０）岩盤
（４）発電機モーター        （１１）ステージ
（５）汲み上げポンプ        （１２）ステージ
（６）放水管                （１３）水管支柱
（７）支柱
【図１】
2015113831.tif 000003
【図２】
2015113831.tif 000004
【図３】
2015113831.tif 000005